(57)【要約】【課題】本発明は、それぞれ異なる画像を表示できる画像表示装置及び表示制御方法を提供すること。【解決手段】画像表示装置（プロジェクター）２、画像を受信する画像受信手段３１と、画像受信手段３１により受信された画像を表示する画像表示手段３２と、画像表示手段３２による画像の表示領域内に、当該画像の少なくとも一部を保持する保持領域を設定する操作が行われる操作手段（操作装置４）と、当該操作により設定された領域内の画像と、画像受信手段３１により受信された他の画像とを画像表示手段３２に表示させる制御手段３４と、を有する。【選択図】図１
2012194459.tif 000002
【特許請求の範囲】
【請求項１】
画像表示装置であって、
画像を受信する画像受信手段と、
前記画像受信手段により受信された画像を表示する画像表示手段と、
前記画像表示手段による画像の表示領域内に、当該画像の少なくとも一部を保持する保持領域を設定する操作が行われる操作手段と、
前記操作により設定された前記保持領域内の画像と、前記画像受信手段により受信された他の画像とを前記画像表示手段に表示させる制御手段と、を有する
ことを特徴とする画像表示装置。
【請求項２】
請求項１に記載の画像表示装置において、
前記表示領域における前記保持領域の位置を検出する検出手段を備え、
前記制御手段は、
前記検出手段により検出された前記保持領域の位置に基づいて、当該保持領域内の画像を抽出する画像抽出部と、
前記画像抽出部により抽出された前記保持領域内の画像を、前記他の画像に合成する画像合成部と、
前記画像合成部により合成された画像を前記画像表示手段に出力して、当該画像を表示させる画像出力部と、を有する
ことを特徴とする画像表示装置。
【請求項３】
請求項２に記載の画像表示装置において、
前記制御手段は、前記表示領域における前記保持領域の位置を移動する操作が前記操作手段に対して行われると、当該操作に応じて、前記表示領域における前記保持領域の位置を移動させる領域移動部を有する
ことを特徴とする画像表示装置。
【請求項４】
請求項２又は請求項３に記載の画像表示装置において、
前記制御手段は、前記保持領域を伸縮する操作が前記操作手段に対して行われると、当該操作に応じて、前記保持領域を伸縮するとともに、当該保持領域内の画像を同じ比率で伸縮する領域伸縮部を有する
ことを特徴とする画像表示装置。
【請求項５】
請求項１から請求項４のいずれかに記載の画像表示装置において、
前記画像受信手段は、それぞれ異なる画像が受信される第１系統及び第２系統を有し、
前記制御手段は、前記保持領域内の画像と、前記他の画像とを合成した画像を前記画像表示手段に表示させ、
前記保持領域内の画像は、前記第１系統の画像の少なくとも一部であり、
前記他の画像は、前記第２系統の画像の少なくとも一部である
ことを特徴とする画像表示装置。
【請求項６】
請求項１から請求項５のいずれかに記載の画像表示装置において、
前記画像表示手段は、
光源装置と、
前記光源装置から出射された光束を変調する光変調装置と、
前記光変調装置により変調された光束を投射する投射光学装置と、を有する
ことを特徴とする画像表示装置。
【請求項７】
画像表示装置により実行され、画像の表示制御を行う表示制御方法であって、
前記画像表示装置が、
受信される画像を表示する第１画像表示ステップと、
前記画像の表示領域内に設定された保持領域の位置を検出する位置検出ステップと、
検出された前記保持領域内の画像と、受信される他の画像とを表示する第２画像表示ステップと、を有する
ことを特徴とする表示制御方法。
【発明の詳細な説明】
【技術分野】
【０００１】
本発明は、画像表示装置及び表示制御方法に関する。
【背景技術】
【０００２】
従来、画像を表示する画像表示装置として、光源装置から出射された光束を変調して画像を形成し、当該画像をスクリーン等の被投射面上に拡大投射するプロジェクターが知られている。このようなプロジェクターとして、フリーズ機能と呼ばれる機能を有するプロジェクターが知られている（例えば、特許文献１参照）。
【０００３】
この特許文献１に記載のプロジェクターは、画像フリーズスイッチを有し、当該画像フリーズスイッチが入力されると、当該プロジェクターのＣＰＵ（Central Processing Unit）が、アドレス発生器を制御して、フレームメモリーへの新たな画像（フレーム）の書き込みを停止させる。このため、当該プロジェクターは、フレームの書き込みが停止される直前の画像を静止画像として表示し続けることとなる。
【先行技術文献】
【特許文献】
【０００４】
【特許文献１】特開２００２−１０２８１号公報
【発明の概要】
【発明が解決しようとする課題】
【０００５】
しかしながら、前述の特許文献１に記載のプロジェクターでは、フリーズ機能が実行されると、画面全体で画像の更新が停止されてしまう。このため、ある画像の一部と、他の画像の一部とを比較しようとしても、当該フリーズ機能では対応できないという問題がある。例えば、複数のスライドをそれぞれ個別に表示してプレゼンテーションを行う際に、あるスライドの一部の領域内の画像と、他のスライドの一部の領域内の画像とを比較しようとしても、当該各画像を同時に表示することができないという問題がある。
このような問題から、それぞれ異なる画像を表示可能な構成が要望されてきた。
【０００６】
本発明は、それぞれ異なる画像を表示できる画像表示装置及び表示制御方法を提供することである。
【課題を解決するための手段】
【０００７】
前記した目的を達成するために、本発明の画像表示装置は、画像を受信する画像受信手段と、前記画像受信手段により受信された画像を表示する画像表示手段と、前記画像表示手段による画像の表示領域内に、当該画像の少なくとも一部を保持する保持領域を設定する操作が行われる操作手段と、前記操作により設定された前記保持領域内の画像と、前記画像受信手段により受信された他の画像とを前記画像表示手段に表示させる制御手段と、を有することを特徴とする。
【０００８】
なお、他の画像は、保持領域が設定される際に表示されていた画像と異なる画像であればよい。このため、これら画像は、それぞれ異なるスライドでもよく、或いは、それぞれ異なる動画像でもよい。また、保持領域が設定され、当該保持領域内の部分画像が保持される場合に、当該部分画像により構成される画像が動画像である場合には、表示される部分画像は、静止画像として表示してもよく、また、順次更新される動画像として表示してもよい。
【０００９】
本発明によれば、画像表示手段による画像の表示領域内に設定された保持領域内の画像である部分画像と、画像受信手段により受信された他の画像とが、画像表示手段によりそれぞれ表示される。これによれば、保持領域内の部分画像と他の画像とを１画面内にそれぞれ表示できるので、当該部分画像と他の画像とを比較できる。従って、あるスライドにおける保持領域内の画像（部分画像）と他のスライドとを容易に比較でき、画像表示装置の利便性を向上できる。
【００１０】
本発明では、前記表示領域における前記保持領域の位置を検出する検出手段を備え、前記制御手段は、前記検出手段により検出された前記保持領域の位置に基づいて、当該保持領域内の画像を抽出する画像抽出部と、前記画像抽出部により抽出された前記保持領域内の画像を、前記他の画像に合成する画像合成部と、前記画像合成部により合成された画像を前記画像表示手段に出力して、当該画像を表示させる画像出力部と、を有することが好ましい。
【００１１】
本発明によれば、検出手段により検出された表示領における保持領域の位置に基づいて、画像抽出部が、保持領域内の画像（部分画像）を抽出し、画像合成部が、抽出された部分画像である抽出画像と他の画像とを合成し、画像出力部が、当該画像を画像表示手段に出力する。これによれば、当該部分画像と他の画像とを確実に１画面内に表示できる。従って、当該各画像の比較を一層容易に行うことができる。
【００１２】
本発明では、前記制御手段は、前記表示領域における前記保持領域の位置を移動する操作が前記操作手段に対して行われると、当該操作に応じて、前記表示領域における前記保持領域の位置を移動させる領域移動部を有することが好ましい。
【００１３】
本発明によれば、領域移動部により、表示領域における保持領域の位置を変更することができるので、他の画像に対して合成される部分画像の位置を変更することができる。これによれば、当該部分画像の表示位置を変更することにより、他の画像全体を把握しやすくすることができる。また、他の画像における一部の領域近傍に部分画像の表示位置を変更することにより、当該一部の領域内の画像と部分画像とを比較しやすくすることができる。従って、画像表示装置の利便性を一層向上できる。
【００１４】
本発明では、前記制御手段は、前記保持領域を伸縮する操作が前記操作手段に対して行われると、当該操作に応じて、前記保持領域を伸縮するとともに、当該保持領域内の画像を同じ比率で伸縮する領域伸縮部を有することが好ましい。
【００１５】
本発明によれば、領域伸縮部により、保持領域の伸縮操作に応じて、保持領域及び当該保持領域内の部分画像の伸縮が行われる。これによれば、部分画像が小さい場合に、保持領域を伸長（拡大）することで、当該部分画像を拡大することができるので、部分画像の内容を把握しやすくすることができる。また、部分画像が大きい場合に、保持領域を縮小することで、当該部分画像が合成される他の画像の内容を把握しやすくすることができる。従って、画像表示装置の利便性を一層向上できる。
【００１６】
本発明では、前記画像受信手段は、それぞれ異なる画像が受信される第１系統及び第２系統を有し、前記制御手段は、前記保持領域内の画像と、前記他の画像とを合成した画像を前記画像表示手段に表示させ、前記保持領域内の画像は、前記第１系統の画像の少なくとも一部であり、前記他の画像は、前記第２系統の画像の少なくとも一部であることが好ましい。
【００１７】
本発明によれば、第１系統及び第２系統にそれぞれ異なる画像が受信される場合でも、第１系統にて受信される画像に設定された保持領域内の部分画像と、第２系統にて受信される画像とを１画面内に表示することができる。この際、各画像が動画である場合には、それぞれ異なる動画像を同時に表示できる。従って、系統の異なる画像同士の比較を容易に行うことができ、画像表示装置の利便性をより一層向上できる。
【００１８】
本発明では、前記画像表示手段は、光源装置と、前記光源装置から出射された光束を変調する光変調装置と、前記光変調装置により変調された光束を投射する投射光学装置と、を有することが好ましい。
【００１９】
本発明によれば、画像表示手段が、光源装置、光変調装置及び投射光学装置を備える構成であるので、比較的大きな画像を簡易に表示できる。従って、前述のプレゼンテーション等に用いられる画像表示装置として、本発明の画像表示装置を好適に利用できる。
【００２０】
また、本発明の表示制御方法は、画像表示装置により実行され、画像の表示制御を行う表示制御方法であって、前記画像表示装置が、受信される画像を表示する第１画像表示ステップと、前記画像の表示領域内に設定された保持領域の位置を検出する位置検出ステップと、検出された前記保持領域内の画像と、受信される他の画像とを表示する第２画像表示ステップと、を有することを特徴とする。
本発明によれば、画像表示装置が当該表示制御方法を実施することにより、前述の画像表示装置と同様の効果を奏することができる。
【図面の簡単な説明】
【００２１】
【図１】本発明の一実施形態に係るプロジェクションシステムの構成を示すブロック図。
【図２】前記実施形態における静止画トリミング機能実行時の画面遷移を示す図。
【図３】前記実施形態における動画トリミング機能実行時の画面遷移を示す図。
【図４】前記実施形態における制御手段の構成を示すブロック図。
【図５】前記実施形態における表示画像中の保持領域の移動状態を示す図。
【図６】前記実施形態における表示画像中の保持領域の伸縮状態を示す図。
【図７】前記実施形態におけるトリミング方法を示すフローチャート。
【発明を実施するための形態】
【００２２】
以下、本発明の一実施形態を図面に基づいて説明する。
〔プロジェクションシステムの構成〕
図１は、本実施形態に係るプロジェクションシステム１の構成を示すブロック図である。
本実施形態に係るプロジェクションシステム１は、図１に示すように、プロジェクター２と、当該プロジェクター２に画像（画像データ）を供給する複数の画像供給装置９（９１，９２）とを備えて構成される。なお、各画像供給装置９１，９２は、本実施形態ではＰＣ（Personal Computer）であるが、画像を供給するものであれば他の構成でもよい。例えば、画像供給装置９は、各種ディスク型記録媒体の再生装置や、画像を予め記憶し、プロジェクター２により当該画像が読み込まれる半導体メモリー及びＨＤＤ（Hard Disk Drive）等の記録装置でもよい。
【００２３】
〔プロジェクターの構成〕
プロジェクター２は、画像供給装置９（９１，９２）の少なくともいずれかから供給される画像を表示する画像表示装置である。このプロジェクター２は、当該画像をスクリーン等の被投射面（図示省略）に投射するプロジェクター本体３と、当該プロジェクター本体３を操作する操作装置４とを備える。
【００２４】
〔操作装置の構成〕
操作装置４は、本発明の操作手段に相当し、本実施形態では、使用者の操作に応じた赤外線信号を出力する電子ペンとして構成されている。
この操作装置４は、図示を省略するが、使用者により把持される筐体と、当該筐体に設けられた操作ボタンと、筐体の先端部にそれぞれ設けられたスイッチ及び発光部とを有する。このような操作装置４は、先端部が前述の被投射面に押圧されてスイッチが入力される第１の操作が行われている間、当該第１の操作に応じた赤外線信号を発光部から出力する。また、操作装置４は、操作ボタンが押下される第２の操作が行われた場合、当該第２の操作に応じた赤外線信号を発光部から出力する。この赤外線信号の種別、及び、表示画像における赤外線信号の出射位置は、プロジェクター本体３の後述する検出手段３３により検出される。
【００２５】
なお、操作装置４の他の構成としては、マウス等のポインティングデバイスを例示できる。この場合、後述する検出手段３３が、操作装置４から入力される操作信号に応じて、当該操作装置４に対する使用者の入力操作を検出する。また、赤外線に代えて、操作装置４に対する操作に応じた操作信号を電波により出力する構成としてもよい。
【００２６】
〔プロジェクター本体の構成〕
プロジェクター本体３は、前述のように、画像供給装置９から供給される画像を被投射面上に投射する。このようなプロジェクター本体３は、静止画トリミング機能及び動画トリミング機能を有する。なお、以下の説明では、これらを総称してトリミング機能という場合がある。
【００２７】
静止画トリミング機能は、表示画像において選択された領域（保持領域）内の画像を静止画像として保持及び表示し続け、他の領域については、画像の更新が可能な状態とする機能である。このため、表示される画像が動画等の状態遷移を伴う画像である場合には、保持領域外の領域に表示される画像は順次更新される。
【００２８】
図２は、静止画トリミング機能を説明するための画面遷移図である。
以下、複数のスライドを順次表示してプレゼンテーションを行う場面を例として、静止画トリミング機能実行時の画面遷移について説明する。
図２（Ａ）に示すスライドＳＬ１の表示中に、静止画トリミング機能を実行する場合、使用者は、操作装置４を操作して、図２（Ｂ）に示すように、スライドＳＬ１の表示領域ＤＡ内でトリミングする領域（保持領域ＦＡ）を設定する。
【００２９】
この領域設定が行われた後、スライドＳＬ１からスライドＳＬ２への遷移が生じると、図２（Ｃ）に示すように、スライドＳＬ１における保持領域ＦＡ内の部分画像ＳＬ１１が重畳されたスライドＳＬ２が表示される。この部分画像ＳＬ１１のスライドＳＬ２に対する重畳位置は、スライドＳＬ１における保持領域ＦＡの位置と同じ位置である。そして、当該部分画像ＳＬ１１は、静止画トリミング機能が有効である間は、表示画像中に表示されたままとなる。このため、図２（Ｄ）に示すように、スライドＳＬ２からスライドＳＬ３に表示される画像が遷移した場合でも、スライドＳＬ３の同じ位置に部分画像ＳＬ１１が重畳される。
なお、保持領域ＦＡとして、表示画像（例えば、スライドＳＬ１）の全領域が選択された場合には、当該保持領域ＦＡ内の画像、すなわち、当該表示画像の全領域が表示されたままとなる。このため、一般的なフリーズ機能が実行された場合と同じ状態となる。
【００３０】
動画トリミング機能は、２つ以上の画像供給装置９から画像が供給される場合、すなわち、画像の入力ソースが２系統以上ある場合に有効となる。この動画トリミング機能は、第１の入力ソースから入力される動画像における保持領域ＦＡ内の動画像を表示し続け、当該保持領域ＦＡ以外の領域に第２の入力ソースから入力される画像（静止画像及び動画像）を表示する機能である。このため、表示画像においては、少なくとも保持領域ＦＡ内の画像は順次更新される。
【００３１】
図３は、動画トリミング機能を説明するための画面遷移図である。なお、図３（Ａ）、及び（Ｂ）に示す動画像Ｍ１、並びに、図３（Ｅ）及び（Ｆ）に示す動画像Ｍ１の保持領域ＦＡ内の画像には、時間の経過を示すために、キャラクター（顔の図柄）が回転する様子が示されている。同様に、図３（Ｃ）〜（Ｆ）に示す動画像Ｍ２では、時間の経過を示すために、２つの円が結合された図柄が転がっている様子が示されている。
以下、第１の入力ソースとしての画像供給装置９１から動画像Ｍ１が入力され、第２の入力ソースとしての画像供給装置９２から動画像Ｍ２が入力される状態を例として、動画トリミング機能の実行時の画面遷移について説明する。
【００３２】
図３（Ａ）に示す動画像Ｍ１の表示中に、動画トリミング機能を実行する場合、使用者は、操作装置４を操作して、図３（Ｂ）に示すように、動画像Ｍ１の表示領域ＤＡ内でトリミングする領域（保持領域ＦＡ）を設定する。
そして、保持領域ＦＡが設定された状態で、図３（Ｃ）及び図３（Ｄ）に示される動画像Ｍ２を供給する画像供給装置９２に入力ソースが切り替えられると、図３（Ｅ）に示すように、動画像Ｍ１における保持領域ＦＡ内の部分動画像Ｍ１１が重畳された動画像Ｍ２が表示される。この動画像Ｍ２に対する部分動画像Ｍ１１の重畳位置は、動画像Ｍ１における保持領域ＦＡの位置と同じ位置である。この保持領域ＦＡ内の部分動画像Ｍ１１は、動画トリミング機能が有効である間は、表示画像（動画像Ｍ２）中に含まれたままとなり、図３（Ｆ）に示すように、部分動画像Ｍ１１と、保持領域ＦＡ外に表示される動画像Ｍ２とは、それぞれ順次更新されることとなる。
【００３３】
以上のような静止画トリミング機能及び動画トリミング機能を実行するプロジェクター本体３は、図１に示すように、画像受信手段３１、画像表示手段３２、検出手段３３及び制御手段３４を有する。
【００３４】
〔画像受信手段の構成〕
画像受信手段３１は、前述の画像供給装置９と接続される接続端子の他、半導体メモリーカードや、ＵＳＢ（Universal Serial Bus）メモリー等の記録装置と接続される接続端子の他、他の画像供給装置（図示省略）と無線で通信する無線通信装置とを備え、これらから送信される画像を受信する。そして、当該画像受信手段３１は、受信した画像を制御手段３４に出力する。すなわち、画像受信手段３１は、複数の入力ソース（画像供給装置）と接続可能であり、これにより、複数の入力系統を有している。
このような画像受信手段３１が有する接続端子としては、ＵＳＢ端子を挙げることができる他、Ｄ−Ｓｕｂ（D-subminiature）端子、ＤＶＩ（Digital Visual Interface）端子及びＨＤＭＩ（High-Definition Multimedia Interface）端子を例示できる。
【００３５】
〔画像表示手段の構成〕
画像表示手段３２は、制御手段３４の制御の下、当該制御手段３４から入力される画像を投射して、当該画像を被投射面上に表示する。この画像表示手段３２は、光源装置３２１、光変調装置３２２及び投射光学装置３２３を有する。
光源装置３２１は、高圧水銀ランプ等の光源ランプ及び反射鏡であるリフレクター、或いはＬＥＤ等の固体光源を備え、光変調装置３２２に光束を出射する。
光変調装置３２２は、光源装置３２１から出射された光束を変調して画像を形成する。この光変調装置３２２は、本実施形態では、液晶パネルと、当該液晶パネルを駆動させるドライバーとを備える構成であるが、この構成に限らない。例えば、マイクロミラーを用いたデバイス等、液晶パネル以外の構成を有する光変調装置を採用してもよい。
投射光学装置３２３は、光変調装置３２２により形成された画像（より詳しくは、当該画像に基づく光学像）を前述の被投射面上に拡大投射する投射レンズである。この投射光学装置３２３は、鏡筒と、当該鏡筒内に収納される複数のレンズとを備えた組レンズとして構成されている。
【００３６】
〔検出手段の構成〕
検出手段３３は、操作装置４から出射された赤外線信号を検出する。この検出手段３３は、信号検出部３３１及び指示位置検出部３３２を有する。
信号検出部３３１は、操作装置４から出力された赤外線信号の信号種別（コード情報）を検出し、当該信号種別を示す操作信号を制御手段３４に出力する。
指示位置検出部３３２は、画像表示手段３２による画像の表示領域ＤＡにおける赤外線信号の出射位置を検出し、当該出射位置を示す座標信号を制御手段３４に出力する。
【００３７】
〔制御手段の構成〕
図４は、制御手段３４の構成を示すブロック図である。
制御手段３４は、ＣＰＵ（Central Processing Unit）、ＲＯＭ（Read Only Memory）及びＲＡＭ（Random Access Memory）等の回路素子が実装された回路基板として構成され、当該ＲＯＭに記憶されたプログラム及びデータをＣＰＵが処理することにより、プロジェクター本体３の動作を制御する。このような制御手段３４は、図４に示すように、ＲＯＭ及びＲＡＭにより構成された記憶部３４１を有する他、画像処理部３４２及び表示制御部３４３を有する。
【００３８】
〔記憶部の構成〕
記憶部３４１は、前述の各種プログラム及びデータを記憶する記憶領域（図示省略）の他、フレームメモリー領域３４１１、バッファー領域３４１２及びレイヤー領域３４１３を有する。
フレームメモリー領域３４１１は、画像表示手段３２により表示される画像（表示画像）が描画される記憶領域である。
バッファー領域３４１２は、フレームメモリー領域３４１１に描画される前に、受信された画像が一時的に記憶される記憶領域である。このバッファー領域３４１２に記憶された画像は、フレームメモリー領域３４１１に描画された画像が読み込まれて出力されるたびに、当該フレームメモリー領域３４１１に転送される。このようなバッファー領域３４１２は、少なくとも２つ設けられており、前述の第１の入力ソース及び第２の入力ソースからの画像がそれぞれ描画可能に構成されている。
レイヤー領域３４１３は、前述のトリミング機能の実行時に利用される領域であり、複数のレイヤーを記憶可能に構成されている。これらレイヤー領域には、前述の保持領域ＦＡ内の部分画像が設定される。
【００３９】
〔画像処理部の構成〕
画像処理部３４２は、画像受信手段３１により受信された画像を処理し、フレーム毎の画像をフレームメモリー領域３４１１に描画する。
具体的に、画像処理部３４２は、まず、受信された１フレーム分の画像をバッファー領域３４１２に描画する。この後、後述する画像出力部３４３１により、当該画像がフレームメモリー領域３４１１から読み込まれて画像表示手段３２に出力されると、画像処理部３４２は、バッファー領域３４１２に描画した画像をフレームメモリー領域３４１１に描画する。
【００４０】
また、画像処理部３４２は、使用者による操作装置４の操作ボタンの押下に応じた操作信号が検出手段３３から入力されると、メニュー画面のＯＳＤ（On Screen Display）画像を生成する。このＯＳＤ画像は、画像出力部３４３１により、フレームメモリー領域３４１１に描画された画像が読み出される際に当該画像に重畳される。これにより、メニュー画面が含まれた画像が表示される。
【００４１】
なお、画像処理部３４２は、前述の動画トリミング機能が実行される際には、前述の第１の入力ソース及び第２の入力ソースのそれぞれから入力される画像を処理して、各入力ソースに対応するバッファー領域３４１２に当該画像を描画する。そして、画像処理部３４２は、これらバッファー領域３４１２のうち、現在選択されている入力ソースに応じたバッファー領域３４１２の画像を、フレームメモリー領域３４１１に描画する。
【００４２】
〔表示制御部の構成〕
表示制御部３４３は、画像処理部３４２によりフレームメモリー領域３４１１に描画された画像を画像表示手段３２に出力して、当該画像を表示させる他、前述のトリミング機能を実行する。このため、表示制御部３４３は、画像出力部３４３１を有する他、操作装置４によりトリミング機能を実行する旨の操作が行われ、当該操作に応じた操作信号が検出手段３３から入力された場合にそれぞれ機能する機能部（計時部３４３２、領域位置取得部３４３３、時間判定部３４３４、設定判定部３４３５、画像抽出部３４３６、画像合成部３４３７、領域移動部３４３８及び領域伸縮部３４３９）を有する。
【００４３】
画像出力部３４３１は、所定周期でフレームメモリー領域３４１１に描画された画像を画像表示手段３２に出力する。
計時部３４３２は、検出手段３３からトリミング機能を実行する旨の操作信号（以下、トリミング信号と略す場合がある）が入力されてからの経過時間を計時する。この計時部３４３２は、本実施形態では、トリミング信号の入力後にカウントダウンされるタイマーとして構成されている。
領域位置取得部３４３３は、トリミング信号の入力後に、指示位置検出部３３２から入力される座標信号に基づいて、保持領域ＦＡの座標位置を取得する。
【００４４】
時間判定部３４３４は、計時部３４３２により計時されている経過時間が所定時間に達したか否かを判定する。なお、本実施形態では、時間判定部３４３４は、計時部３４３２を構成するタイマーが「０」となったか否かを判定する。
設定判定部３４３５は、時間判定部３４３４により経過時間が所定時間に達したと判定された場合に、領域位置取得部３４３３による座標位置の取得結果に基づいて、保持領域ＦＡの設定が行われたか否かを判定する。この設定判定部３４３５により、保持領域ＦＡの設定が行われたと判定された場合には、表示画像の一部をトリミングする処理が行われることとなる。しかしながら、保持領域ＦＡの設定が行われていないと判定された場合には、表示領域ＤＡ全体が保持領域ＦＡに設定される。この場合、全画面トリミング、すなわち、従来のフリーズ機能と同様のトリミング処理が行われることとなる。
【００４５】
画像抽出部３４３６は、保持領域ＦＡ内の部分画像を抽出する。この画像抽出部３４３６は、現在の入力ソースに応じたバッファー領域３４１２に描画された画像から、現在の表示画像における保持領域ＦＡの位置に応じた部分画像を抽出し、当該部分画像を前述のレイヤー領域３４１３に記憶されたレイヤーに設定する。この際、画像抽出部３４３６は、表示画像における保持領域ＦＡの位置と、レイヤーにおける抽出画像の設定位置が同じ位置となるように、当該部分画像（抽出画像）を設定する。
【００４６】
ここで、画像抽出部３４３６は、バッファー領域３４１２からの保持領域ＦＡ内の部分画像の抽出、及び、レイヤーへの部分画像の設定を繰り返し実行する。このため、現在の入力ソースに応じたバッファー領域３４１２の画像が順次更新される場合には、レイヤーに設定される部分画像も順次更新される。これにより、保持領域ＦＡが動画像における一部の領域として設定された場合、すなわち、動画トリミング機能の実行時においても、当該動画像の一部の領域内の画像（部分動画像）を抽出できる。
【００４７】
なお、画像抽出部３４３６が、抽出画像をバッファー領域３４１２から取得するのは、画像処理部３４２、画像出力部３４３１及び画像合成部３４３７により参照される頻度が高いフレームメモリー領域３４１１から当該抽出画像を取得することを避けるためである。また、フレームメモリー領域３４１１から抽出画像を取得する場合、後述する画像合成部３４３７による画像合成の前に、当該抽出画像を取得する必要がある等、処理が複雑化するためである。これらの問題を克服するために、画像抽出部３４３６は、バッファー領域３４１２から抽出画像を取得している。しかしながら、これらの問題を克服可能であれば、フレームメモリー領域３４１１から抽出画像を取得することも可能である。
【００４８】
画像合成部３４３７は、画像出力部３４３１による画像の読出周期に応じて、レイヤーに設定された部分画像（保持領域ＦＡからの抽出画像）を、フレームメモリー領域３４１１に描画された１フレーム分の画像に合成（重畳）して、表示画像を生成する。
具体的に、画像合成部３４３７による画像合成は、画像出力部３４３１によりフレームメモリー領域３４１１から画像が読み出され、画像処理部３４２により、次のフレームの画像が当該フレームメモリー領域３４１１に描画された後で、画像出力部３４３１により当該次のフレームの画像が読み出されるまでの間に行われる。これにより、画像出力部３４３１により、保持領域ＦＡ内の部分画像が重畳された後の次のフレームの画像が読み出され、当該画像が画像表示手段３２により表示されることとなる。
【００４９】
領域移動部３４３８は、使用者により、表示領域ＤＡにおける保持領域ＦＡの位置を移動させる操作が操作装置４を用いて行われると、当該操作に応じて、レイヤーにおける保持領域ＦＡの位置を移動させる。具体的に、領域移動部３４３８は、操作装置４の操作に応じて指示位置検出部３３２から入力される座標信号に基づいて、抽出画像が設定されたレイヤーにおける当該抽出画像の位置を変更する。
【００５０】
図５は、表示領域ＤＡにおける保持領域ＦＡの移動状態を説明する図である。
例えば、図５（Ａ）に示すように、部分画像ＳＬ１１の一部が含まれる保持領域ＦＡが重畳されたスライドＳＬ２が表示されている状態で、操作装置４を用いた使用者のドラッグ操作等により、図５（Ｂ）に示すように、表示領域ＤＡにおける保持領域ＦＡの位置が変更されると、領域移動部３４３８は、当該操作に応じて入力される操作信号及び座標信号に基づいて、当該保持領域ＦＡ内の部分画像が設定されたレイヤーにおける当該部分画像の位置を変更する。これにより、フレームメモリー領域３４１１に描画された画像に対する部分画像の合成位置が変更される。従って、図５（Ｃ）に示すように、画像（スライドＳＬ２）の表示領域ＤＡにおける保持領域ＦＡ（部分画像）の位置が変更される。
【００５１】
なお、図５の例では、前述の静止画トリミング機能の実行中に、保持領域ＦＡの位置が変更された場合を示しているが、動画トリミング機能の実行中でも同様である。
また、領域移動部３４３８は、レイヤーにおける部分画像の位置を変更することとしているが、これに限らず、フレームメモリー領域３４１１に描画された画像に対する部分画像の合成位置を示す情報を変更することにより、当該保持領域ＦＡ（部分画像）の位置を変更する構成としてもよい。
【００５２】
図６は、表示領域ＤＡにおける保持領域ＦＡの伸縮状態を説明する図である。
領域伸縮部３４３９は、使用者により、表示領域ＤＡにおける保持領域ＦＡを伸縮させる操作が操作装置４を用いて行われると、保持領域ＦＡを伸縮するとともに、当該保持領域ＦＡ内の部分画像を保持領域ＦＡと同じ比率で伸縮する。
例えば、図６（Ａ）に示すように、部分画像ＳＬ１１の一部が含まれる保持領域ＦＡが重畳されたスライドＳＬ２が表示された状態で、使用者により、保持領域ＦＡの拡大操作が行われると、当該拡大操作に応じて入力される操作信号及び座標信号に基づいて、領域伸縮部３４３９は、レイヤーに設定された部分画像の寸法（解像度）を拡大する。これにより、図６（Ｂ）に示すように、表示画像において保持領域ＦＡと、当該保持領域ＦＡ内の部分画像ＳＬ１１とが拡大される。
【００５３】
一方、当該スライドＳＬ２において、使用者により、保持領域ＦＡの縮小操作が行われると、当該縮小操作に応じて入力される操作信号及び座標信号に基づいて、領域伸縮部３４３９は、レイヤーに設定された部分画像の寸法（解像度）を縮小する。これにより、図６（Ｃ）に示すように、表示画像（スライドＳＬ２）において保持領域ＦＡと、当該保持領域ＦＡ内の部分画像ＳＬ１１とが縮小される。
なお、領域伸縮部３４３９が、レイヤーにおける部分画像の伸縮を行うのではなく、画像合成部３４３７が、フレームメモリー領域３４１１に描画された画像に部分画像を合成する際に、伸縮した状態の部分画像を当該画像に合成する構成としてもよい。
【００５４】
〔トリミング方法〕
図７は、前述のトリミング処理を実行する際に実施されるトリミング方法を示すフローチャートである。
前述のトリミング機能は、例えば、前述の第２の操作に応じて表示されたメニュー画面からトリミング機能を実行する旨の項目が選択された場合や、プロジェクター本体３に設けられたトリミングキー（図示省略）が入力された場合に、これら操作に応じたトリミング信号が制御手段３４に入力されることにより実行される。このトリミング機能は、以下に示すトリミング方法に沿って行われるが、当該トリミング方法は、記憶部３４１に記憶されたプログラムを、制御手段３４を構成するＣＰＵが処理することにより行われる。
【００５５】
このトリミング方法では、画像受信手段３１により受信された画像の表示中に、上記操作が行われてトリミング信号が入力されると、図７に示すように、計時部３４３２のタイマーが起動して、当該信号の入力からの経過時間の計時を計時部３４３２が開始する（ステップＳ１）。この経過時間が所定時間に達するまでの間に、使用者が表示領域ＤＡにおいて、任意の領域を保持領域ＦＡに設定する。
次に、領域位置取得部３４３３が、座標信号の入力に基づいて、保持領域ＦＡの座標位置を取得する（ステップＳ２）。
【００５６】
この後、時間判定部３４３４が、計時部３４３２による計時時間が所定時間に達したか否かを判定する（ステップＳ３）。ここで、所定時間に達していないと判定された場合には、制御手段３４は、処理をステップＳ２に戻す。
一方、ステップＳ３の判定処理にて、所定時間に達したと判定されると、設定判定部３４３５が、保持領域ＦＡの設定操作が行われたか否かを判定する（ステップＳ４）。すなわち、設定判定部３４３５は、領域位置取得部３４３３による保持領域ＦＡの座標位置の取得が行われたか否かを判定する。
【００５７】
このステップＳ４の判定処理にて、保持領域ＦＡの設定が行われていないと判定された場合には、表示領域ＤＡ全体が保持領域ＦＡとして設定され（ステップＳ５）、制御手段３４は、処理をステップＳ６に移行する。
また、当該ステップＳ４の判定処理にて、保持領域ＦＡの設定が行われたと判定されると、制御手段３４は、処理をステップＳ６に移行する。
ステップＳ６では、画像抽出部３４３６が、現在の入力ソースに応じたバッファー領域３４１２から、設定された保持領域ＦＡに応じた位置の部分画像を抽出し、当該部分画像をレイヤー領域３４１３に記憶されたレイヤーに設定する（ステップＳ６）。
【００５８】
そして、画像合成部３４３７が、レイヤーに設定された部分画像を、フレームメモリー領域３４１１に描画された画像に合成（重畳）する（ステップＳ７）。この際、画像合成部３４３７は、前述のように、表示領域ＤＡにおける保持領域ＦＡの位置と同じ位置に、部分画像を上書きする。
次に、画像出力部３４３１が、前述のタイミングで、フレームメモリー領域３４１１に描画された画像、すなわち、部分画像が上書きされた画像を読み出して、当該画像を画像表示手段３２に出力する（ステップＳ８）。これにより、当該画像が表示される。
【００５９】
この後、表示制御部３４３は、使用者による操作装置４の操作により、トリミング機能の利用が終了されたか否か、すなわちトリミング機能が実行中か否かを判定する（ステップＳ９）。
ここで、トリミング機能が実行中である（トリミング機能が終了されていない）と判定された場合には、制御手段３４は、処理をステップＳ６に戻す。このように、トリミング機能が実行されている間は、部分画像の抽出及び当該部分画像の合成が繰り返し行われるため、保持領域ＦＡ内の画像が動画像の一部であっても、また、当該保持領域ＦＡ外に表示される画像が動画像であっても、それぞれ更新されることとなり、前述の静止画トリミング機能及び動画トリミング機能が実現される。
【００６０】
一方、ステップＳ９の判定処理にて、トリミング機能が終了されたと判定された場合には、保持領域ＦＡが解除される（ステップＳ１０）。例えば、ステップＳ１０では、画像抽出部３４３６による部分画像の抽出、及び、画像合成部３４３７による画像合成が行われなくなる他、レイヤーに設定された部分画像が消去される。
このステップＳ１０の後、制御手段３４は、上記トリミング方法に基づくトリミング処理を終了する。
【００６１】
以上説明した本実施形態に係るプロジェクションシステム１によれば、以下の効果を奏することができる。
静止画トリミング機能が実行される場合には、例えば、操作装置４を用いた使用者の操作によってスライドＳＬ１の表示時に設定された保持領域ＦＡ内の部分画像ＳＬ１１と、画像受信手段３１により受信された他のスライドＳＬ２とを、画像表示手段３２により１画面内に表示できる。また、動画トリミング機能が実行される場合には、例えば、動画像Ｍ１における保持領域ＦＡ内の部分動画像Ｍ１１と、当該動画像Ｍ１とは異なる系統の動画像Ｍ２とを、１画面内に表示できる。これによれば、各画像を容易に比較できる。従って、プロジェクター２の利便性を向上できる他、当該プロジェクター２の用途を広げることができる。
【００６２】
検出手段３３により検出された保持領域ＦＡの位置に基づいて、画像抽出部３４３６が、当該保持領域ＦＡ内の部分画像（例えば、部分画像ＳＬ１１）を抽出し、画像合成部３４３７が、抽出された部分画像と、他の画像（例えば、スライドＳＬ２，ＳＬ３）とを合成する。そして、画像出力部３４３１が、合成された画像を画像表示手段３２に出力する。これによれば、部分画像と他の画像とを１画面内に確実に表示できる。従って、当該各画像の比較を一層容易に行うことができる。
【００６３】
領域移動部３４３８は、操作装置４の操作に応じて入力される操作信号及び座標信号に基づいて、表示領域ＤＡにおける保持領域ＦＡの位置を変更する。これによれば、例えば、スライドに含まれる図柄と、保持領域ＦＡ内の部分画像とが重なる場合に、当該保持領域ＦＡの位置を変更することにより、当該スライドの内容を確認できる他、当該スライドに含まれる他の図柄と当該部分画像とを比較しやすくすることができる。従って、プロジェクター２の利便性を一層向上できる。
【００６４】
領域伸縮部３４３９は、操作装置４の操作に応じて入力される操作信号及び座標信号に基づいて、保持領域ＦＡ及び当該保持領域ＦＡ内の部分画像を伸縮させる。これによれば、表示領域ＤＡにおいて保持領域ＦＡ及び部分画像が小さい場合や大きい場合でも、当該部分画像を拡大及び縮小して、表示画像における他の領域を確認しやすくできる他、当該部分画像の内容も確認しやすくすることができる。従って、プロジェクター２の利便性を一層向上できる。
【００６５】
動画トリミング機能では、各画像供給装置９１，９２から供給される動画像のうち、一方の動画像における保持領域ＦＡ内の部分動画像が、他方の動画像に合成された表示画像が表示され、当該表示画像においては、それぞれの動画像が更新される。これによれば、それぞれ異なる動画像を１画面内に表示することができる。従って、それぞれの動画像の比較を容易に行うことができ、プロジェクター２の利便性をより一層向上できる。
【００６６】
画像表示装置としてのプロジェクター２は、光源装置３２１と、当該光源装置３２１から出射された光束を変調する光変調装置３２２と、変調された光束を投射する投射光学装置３２３とを備える構成であるので、被投射面上に比較的大きな画像を簡易に表示できる。従って、前述のプレゼンテーション等に用いられる画像表示装置として、プロジェクター２を好適に利用できる。
【００６７】
〔実施形態の変形〕
本発明は前述の実施形態に限定されるものではなく、本発明の目的を達成できる範囲での変形、改良等は本発明に含まれるものである。
前記実施形態では、保持領域ＦＡから抽出された部分画像が他の画像（スライド及び動画像）に重畳された画像が表示されるとしたが、本発明はこれに限らない。例えば、部分画像と、当該他の画像とをそれぞれ別の領域に表示するように構成してもよい。すなわち、部分画像と他の画像とは必ずしも重畳されて表示される構成でなくてもよい。
【００６８】
前記実施形態では、プロジェクター２は、フレームメモリー領域３４１１に描画される画像を一時的に保持するバッファー領域３４１２を備えるとしたが、本発明はこれに限らない。すなわち、画像出力部３４３１によりフレームメモリー領域３４１１に描画された画像が読み込まれる周期に応じて、画像処理部３４２が、受信された画像をフレームメモリー領域３４１１に描画可能であれば、バッファー領域３４１２はなくてもよい。
【００６９】
前記実施形態では、画像抽出部３４３６は、表示領域ＤＡに設定された保持領域ＦＡから抽出された部分画像をレイヤー領域３４１３のレイヤーに設定するとしたが、本発明はこれに限らない。すなわち、バッファー領域３４１２の記憶容量に余裕があれば、当該バッファー領域３４１２に部分画像を記憶させる構成としてもよい。この場合、バッファー領域３４１２内に１フレーム分の画像に応じた記憶領域を設定し、当該記憶領域において表示領域ＤＡにおける保持領域ＦＡの位置に応じて部分画像を記憶させる構成としてもよい。或いは、前述のように、表示領域ＤＡにおける保持領域ＦＡの位置を示す座標を記憶しておき、当該座標に基づいて、抽出画像をフレームメモリー領域３４１１に描画された画像と合成してもよい。
【００７０】
前記実施形態では、表示領域ＤＡに保持領域ＦＡを１つ設定する場合について説明したが、本発明はこれに限らない。すなわち、設定される保持領域ＦＡの数は、複数でもよい。この場合、レイヤー領域３４１３に保存されたレイヤーの数を、当該保持領域ＦＡの数に応じて増やせばよい。
前記実施形態では、プロジェクター２は、静止画トリミング機能及び動画トリミング機能を有するとしたが、本発明はこれに限らない。すなわち、これら機能のうち少なくともいずれかを有する構成であればよい。
【００７１】
前記実施形態では、プロジェクター２は、表示領域ＤＡにおいて保持領域ＦＡ及び部分画像を移動させる領域移動部３４３８と、表示領域ＤＡにおいて保持領域ＦＡ及び部分画像を伸縮させる領域伸縮部３４３９とを有する構成であるが、本発明はこれに限らない。すなわち、領域移動部３４３８及び領域伸縮部３４３９はなくてもよい。なお、これら領域移動部３４３８及び領域伸縮部３４３９を有する構成であれば、前述のように、プロジェクター２の利便性を一層向上できる。
【００７２】
前記実施形態では、操作手段としての操作装置４は、電子ペンで構成されているとしたが、本発明はこれに限らない。すなわち、前述のように、操作装置４をマウス等のポインティングデバイスにより構成してもよい。また、当該操作手段を、プロジェクター本体３の筐体に配設された複数の操作ボタンにより構成してもよい。
【００７３】
前記実施形態では、画像表示装置として被投射面に画像を投射して表示するプロジェクター２を例示したが、本発明はこれに限らない。すなわち、被投射面に対する画像の投射方向と、当該画像の観察方向とが略同じであるフロントタイプのプロジェクターに限らず、投射方向と観察方向とがそれぞれ反対方向となるリアタイプのプロジェクターにも本発明を適用できる。また、本発明は、プロジェクターの他に、液晶ディスプレイ、プラズマディスプレイ、有機ＥＬ（Electroluminescence）ディスプレイ及びＣＲＴ（Cathode Ray Tube）ディスプレイ等の各種画像表示装置にも適用できる。
【産業上の利用可能性】
【００７４】
本発明は、画像表示装置に利用でき、特にプレゼンテーションに用いられるプロジェクター等の画像表示装置に好適に利用できる。
【符号の説明】
【００７５】
２…プロジェクター（画像表示装置）、４…操作装置（操作手段）、３１…画像受信手段、３２…画像表示手段、３３…検出手段、３４…制御手段、３４３１…画像出力部、３４３６…画像抽出部、３４３７…画像合成部、３４３８…領域移動部、３４３９…領域伸縮部。
【図１】
2012194459.tif 000003
【図２】
2012194459.tif 000004
【図３】
2012194459.tif 000005
【図４】
2012194459.tif 000006
【図５】
2012194459.tif 000007
【図６】
2012194459.tif 000008
【図７】
2012194459.tif 000009